(57)【要約】  外部の表面に固定するためのポスターを含む表示システムであって、該ポスターが、該ポスターを該外部の表面に接着するための接着層を含む、複数の層を有するパネルと、該表面に該ポスターが固定されるとき、見るための表示可能な内容を有する表示層とを含み、該システムは、シーラーをさらに含み、該ポスターが固定される防湿境界を形成するために、該外部表面が該シーラーによって事前処理される、表示システム。特に、外部の床（１８）のための表示システムが、床表面の中に吸収され、床表面を密封する、シーラント層（２０）を含む。ポスターまたはバナーが、密封された床表面に接着され、かつ、表示可能な材料（１４）の層および透明の保護層（１２）を含む。表示可能な材料の裏側に事前に適用され得、ピールオフストリップによって保護され得る、接着層（１６）が、バナーを密封された表面に接着する。
2005513552.tif 000002
【特許請求の範囲】
【請求項１】
外部の表面に固定するためのポスターを含む表示システムであって、該ポスターが、該ポスターを該外部の表面に接着するための接着層を含む、複数の層を有するパネルと、該表面に該ポスターが固定されるとき、見るための表示可能な内容を有する表示層とを含み、該システムは、シーラーをさらに含み、該ポスターが固定される防湿境界を形成するために、該外部表面が該シーラーによって事前処理される、表示システム。
【請求項２】
前記パネルが、前記印刷された層のトップに保護層をさらに有する、請求項１に記載の表示システム。
【請求項３】
前記保護層が、一般的に、前記表面の摩擦係数に、類似している、等しい、またはより大きい、摩擦係数を有する、請求項２に記載の表示システム。
【請求項４】
前記シーラーが、前記外部の表面の中に、ある距離に浸透する、請求項１、２、または３のいずれかに記載の表示システム。
【請求項５】
前記表面の処理に使用される前記シーラーの種類が、表面のタイプに依存する、請求項４に記載の表示システム。
【請求項６】
前記シーラーが前記表面の中に２センチメートルから３センチメートル浸透する、請求項４または５に記載の表示システム。
【請求項７】
前記シーラントが、３０−６０％のメタクリル酸メチル、１０−３０％のメタクリル酸ブチルおよび１０−３０％のアクリル酸エチルヘキシルを含む、請求項１から６のいずれかに記載の表示システム。
【請求項８】
前記シーラントが１％までの１，１’（Ｐ−Ｔｏｌｙｌｉｍｉｎｏ、Ｐ−トリルイミノ）Ｄｉｐｒｏｐａｎｅ  −２−０２をさらに含む、請求項７に記載の表示システム。
【請求項９】
前記表面が床である、請求項１から８のいずれかに記載の表示システム。
【請求項１０】
前記床が多孔性である、請求項９に記載の表示表面。
【請求項１１】
前記床表面がアスファルトを含む、請求項９に記載の表示システム。
【請求項１２】
前記床表面がコンクリートを含む、請求項９に記載の表示システム。
【請求項１３】
前記床表面がレンガを含む、請求項９に記載の表示システム。
【請求項１４】
前記請求項１から８のいずれかに記載のシステムにおいて使用するためのポスター。
【請求項１５】
ポスターを外部の表面に固定する方法であって、該ポスターが、該ポスターを該外部の表面に接着するための接着層を含む、複数の層を有するパネルと、該ポスターが該表面に固定されるとき、見るための表示可能な内容を有する表示層とを含み、該方法が、防湿境界を形成するためにシーラーによって外部の表面を密封するステップと、該ポスターを密封された表面に接着するステップとを含む。
【請求項１６】
前記シーラーによって密封するステップに先立ち、前記外部の表面を清掃するステップを含む、請求項１５に記載の方法。
【請求項１７】
前記清掃するステップが、泥、油および油脂を除去するステップを含む、請求項１６に記載の方法。
【請求項１８】
前記表面を密封するステップに先立ち、使用されるシーラーの種類を決定するために、該表面の調査を行うステップを含む、請求項１５、１６または１７に記載の方法。
【請求項１９】
前記外部の表面が屋外の床である、請求項１５から１８のいずれかに記載の方法。
【請求項２０】
前記外部の表面を密封するステップが、該表面の中に浸透するように、該表面にシーラントを適用するステップを含む、請求項１５から１９のいずれかに記載の方法。
【請求項２１】
請求項１５から２０のいずれかに記載の方法によって、外部の表面に固定されるポスター。
【請求項２２】
床表示システムであって、
表面に固定されるポスターであって、該ポスターが該表面に固定されるとき、見るための表示可能な内容を有する表示表面を含む、ポスターと、
防湿境界を形成するために該表面を密封するためのシーラントと、
該ポスターを該密封された表面に接着するための接着層と
を含む、床表示システム。
【請求項２３】
前記ポスターが前記接着層を含む、請求項２２に記載の床表示システム。
【請求項２４】
前記接着層が、該接着層を前記密封された表面に適用するために除去可能なピールオフストリップによって保護される、請求項２３に記載の床表示システム。
【請求項２５】
ポスターを床表面に固定するための方法であって、
防湿境界を形成するために、前記外部の表面をシーラーによって密封するステップと、該ポスターを該密封された表面に接着するステップとを含む、方法。
【発明の詳細な説明】
【技術分野】
【０００１】
本発明は、表示ポスターに関し、特に、駐車場の表面および／または屋外の表面などの表示に適さない環境に設置されるポスターに関するが、それらに限定されない。
【背景技術】
【０００２】
現在、（例えば、石、コンクリート、アスファルトまたは大理石の）屋内の床は、それらに適用されるポスターまたは注意書きを表示し得る。そのようなポスターは、安全に関する情報および広告を表示し得る。それらのポスターは、トップ表面に表示用の情報が印刷され、下側に接着剤が塗布された基板から作られる。トップ表面上のコーティングは、滑りの減少を助けるために、ポスターの摩擦係数を改善するために適用される。
【０００３】
一般的に、接着剤が十分な粘着性によってポスターを貼り得るように、床は、滑らかな表面を有して平らであることが必要である。ざらざらした床に張られるポスターは、滑らかな表面に貼られるポスターほど長持ちし得ない。そしてまた、水分が、床とポスターとの間に侵入し、ポスターが床から剥がれ、床から浮き上がることになる。
【０００４】
従って、現在の床ポスターは、環境が一般的に良好で、ポスターが雨から守られる、例えば、建物の中の場所の床の用途に限られる。そのような場所は、鉄道の駅の前庭または覆いのあるショッピングモールの歩行者通路を含み得る。
【発明の開示】
【発明が解決しようとする課題】
【０００５】
本発明者たちは、現在の床ポスターが、頻繁に張り替える必要がなく、満足のいく状態を保ったままで、表示に適さない環境下にある表面に適用され得ないことを理解している。しかし、本発明者たちは、屋外または屋内の駐車場などの適さない環境に置かれるそのようなポスターに対する需要があることを理解している。この脈絡において、用語、床は、駐車場または道路などの屋外の表面を意味するために使用される。
【０００６】
本発明は、この問題を扱う。
【課題を解決するための手段】
【０００７】
本発明によると、本発明が、外部の表面に固定されるポスターを含む表示システムを提供し、そのポスターが、ポスターを外部の表面に接着するための接着層を含む複数の層を有するパネルと、ポスターが表面に固定されるとき、見るための表示可能な内容を有する表示層とを含み、そのシステムが、シーラー（下塗り塗料）をさらに含み、そこでは、防湿境界を形成するために外部の表面がシーラーで事前に処理され、ポスターはその防湿境界に固定される。
【０００８】
本発明はまた、外部の表面にポスターを固定する方法を提供し、そのポスターが、ポスターを外部の表面に接着するための接着層を含む、複数の層を有するパネルと、ポスターが表面に固定されるとき、見るための表示可能な内容を有する表示層を含み、その方法が、防湿境界を形成するために、シーラーで外部の表面を密閉するステップと、シーラーで密閉された表面に、ポスターを接着するステップとを含む。
【０００９】
本発明はまた、床表示システムを提供し、そのシステムが、表面に固定されるポスターであって、そのポスターが表面に固定されるとき、見るための表示可能な内容を有する表示層を含むポスターと、防湿境界を形成するために、表面を密閉するためのシーラント（封水剤）と、シーラーで密閉された表面に、そのポスターを接着するための接着層とを含む。
【００１０】
本発明の実施形態は、駐車場などの（表示に）適さない環境においても受容し得る性能を与え得る表示システムを製造し得る利点を有する。基礎となる駐車場の表面に、接着層の前にシーラントを使用することで、表示されるポスターの下への泥および水分の進入を防ぎ、大幅に長持ちさせる。接着剤は表面によりも、むしろそのシーラントに接着する。
【００１１】
好ましくは、そのシーラントが、例えば２〜３センチメートル、表面の中に浸透する。これは、特に、表面が平坦ではなく多孔性である場合には利点がある。
【００１２】
本発明の実施形態はまた、立体駐車場などの、床表示には不向きの非常に不適切な、ある種の屋内環境にとっても利点がある。
【００１３】
本発明の実施形態が、今度は、添付の図面を参照にして実施例によって説明される。
【発明を実施するための最良の形態】
【００１４】
図１を参照すると、床ポスター１０が多くの積層を有するパネルを含む。図示される実施例は、保護層１２、印刷層１４、および接着層１６の３つの層を有する。保護層は、好ましくは透明であり、それによって印刷層が見られ得、かつ印刷層への水の浸透を防ぐ。好ましくは、保護層がまた、ポスターが設置され得る床の表面と同様の摩擦特性の表面を提供する。これは、人または車がトラクションを失いかつポスターの表面で滑るのを防ぐ助けとなる。
【００１５】
パネルが設置されるアスファルトの床は、砂の層２６の上に位置する上部アスファルト層１８を含み、この砂の層２６は、排水層２４の上に位置する。アスファルト層１８は、シーラー構成物２０によって事前に処理される。この構成物２０は、アスファルト１８の下にある排水層２４および砂の層２６に進入するかまたは浸透する、水または湿気２２から、アスファルト１８のトップ層を防ぎ密封する。シーラーは床のトップ層を防水加工処理する。
【００１６】
シーラー構成物は、液体の形式でアスファルトに塗布され、好ましくは、アスファルトに好ましくは浸透して、アスファルトの表面から約２〜３センチメートルほど染み込む。用途に応じたアスファルトまたは床のタイプの違い、およびその結果として起きるシーラーへの浸透性の違いのために、異なるアスファルトまたは他の床表面には異なるシーラーが必要とされる。これは、一般的に、ポスターが適用される表面が調査されて、どのシーラー構成物がそのアスファルトタイプには最適なのかを評価することが必要である。本発明を具体化するポスターはまた、レンガ舗装、コンクリート、タイル、ｔａｒｍａｃ（ＲＴＭ）、テラゾ（ｔｅｒｒａｚｚｏ）、木片舗装、コンクリート舗装石または平坦な大理石表面などその他の多孔性の床の上に設置され得る。
【００１７】
接着層１６は、印刷層の下のパネルの裏に固い接着コーティングを含み、この印刷層は当該分野では周知のピールバックコーティング（図示せず）によって保護されている。このピールバックコーティングは、床の事前に処理された場所にパネルが張られる直前に、接着面を露出するように剥がされる。パネルは、パネルと床との間に閉じ込められるエアポケットを減らすように、事前に処理された表面に提供される。
【００１８】
図１は表面の下からアスファルトを通って、その下に位置する層に浸透する水２２を示す。ポスターが屋外に設置される場合、または床が濡れ得る環境において設置される場合には、水がまた、パネルと床との間に浸入し得る。トップの保護層１２は、パネルのトップ表面を通って浸透しようとする水に、防水バリアを提供するために選択される。また、パネルと事前処理されたアスファルトとの間への水の浸透は、パネルと事前処理されたアスファルトとの間に良好なシールを提供する接着剤によって防がれる。
【００１９】
本発明を具体化する構成物または方法を使用してアスファルト適用されるポスターは、パネルの取り替えが必要とされる前に、通常の使用の下で、約３ヶ月間持続すると推定される。
【００２０】
パネルはポスターの上を通過する交通によって摩滅されるが、そのような交通は人または車の形を取り得る。パネルが表面に適用される前にアスファルトを処理するために、不適切なシーラーが使用されるか全くシーラーが使用されなかった場合、ポスターは受容し得る期間、受容し得る状態のままでは残る可能性はない。これは、特に、パネルが不都合な気象条件または過剰な交通の使用を受ける場合にはそうである。そのような状況では、パネルの接着剤がアスファルトへの接着性を失い、アスファルトから浮き上がる。これは、商業的に受容し得ないと考えられる率でのパネルの取り替えを必要とし得る。
【００２１】
「受容可能な状態」によって本発明者らが意味するのは、パネルの印刷層が判読でき、かつ全てのパネルがアスファルトの表面に接着したままであり、このパネルのどのエッジもまたはどの範囲もアスファルトから剥がれていない状態である。「受容可能な期間」によって本発明者らが意味するのは、少なくとも２カ月であり、その間、パネルを受容可能な状態に保つために殆ど、または全くメンテナンスを必要としない期間である。
【００２２】
図２を参照すると、床の、ある場所にポスターを適用するためのプロセス５０が示される。ポスターが設置される場所が、まず、５２において調べられ、その表面に適用されるポスターの適性のチェックおよび床のその特定の場所にはどのシーラーが最適なのかを決定する。その調査で、そこでポスターが水または湿気に晒される可能性および度合いを決定する。これは床の多孔性の性質およびポスターの予定される場所の決定を含む。これらの要因は、その床に適用されるシーラーの種類を決定する際には考慮に入れられるべきである。
【００２３】
バナーを適用する前に、最も外側の表面を密封することのできるシーラーを適用することも可能であり得、その場合、表面の調査の必要性は余分である。
【００２４】
ポスターのパネルへの適切なアートワークが５４においてデザインされ、５６において印刷される。床の表面が、５８において、適切なシーラーによって処理され、６０において、処理された場所にポスターが配置される。パネルは、６２において、適切な状態に保つために定期的な清掃とメンテナンスを必要とし得、６４におけるパネルの取り替えが３カ月の期間の後に必要とされ得る。
【００２５】
適切なシーラントの一例は、以下の構成を有する樹脂である。
【００２６】
メタクリル酸メチル    ３０％−６０％
１，１'  （Ｐ−Ｔｏｌｙｉｍｉｎｏ）  Ｄｉｐｒｏｐａｎｅ  −  ２−  ０２  ０−１％
メタクリル酸ブチル  １０％−３０％
アクリル酸エチルヘキシル  １０％−３０％
各構成物の相対的なパーセンテージは、密閉されるアスファルトのタイプ、またはその他の表面によって異なり、その他の表面とは、コンクリートおよびコンクリート煉瓦を含むがそれらに限定されない。適切なシーラントは、イギリスのＳｔｏｃｋｐｏｒｔのＦｌｏｏｒ  Ｉｍａｇｅ  Ｉｎｔｅｒｎａｔｉｏｎａｌ  Ｌｔｄ、の登録商標ＳＬ  ＳＣＲＡＴＣＨ  ＣＯＡＴ（という製品）によって供給される。
【００２７】
本発明を具体化するポスターは、駐車場区域またはアスファルトで造られた外部の歩道に適用され得ることが予想される。ポスターは、例えば、その特定の駐車区域に近いショップやストアの宣伝に用いられ得るか、または買い物客に駐車場からショッピングモールの入り口を示すために用いられ得る。そのような駐車場のポスターは、車３台分の駐車スペースに等しい幅と１メートルほどの奥行きとを有し得る。別のサイズのポスター／パネルも可能であるが、それらが適用される表面によって制限され得る。表示可能な材料の実際の性質は、本発明の特徴ではない。
【００２８】
以前に利用されていなかった場所にポスターを設置することは、駐車場の経営者およびその他にとって、余分の収入源を提供する。広告主もまた、販売場所の近くで彼らのストアまたはサービスを宣伝する機会によって利益を得る。
【００２９】
説明される実施形態の改変は、本発明の範囲内で可能である。例えば、接着剤は、表示可能な材料の層の裏に作成される層としてよりも、むしろ、密封される表面のトップに別個の層として適用され得る。当業者はその他の改変を思いつく。
【００３０】
当業者は、説明される実施形態の改変例のみならず、本発明を具体化する多くの異なる用途に気づき得る。例えば、高い視認性のサインが、視覚障害者が横断歩道を識別するのを助けるために、横断歩道の近くの舗装路に設置され得、または緊急時に安全な場所の経路を特定するために設置され得る。
【図面の簡単な説明】
【００３１】
【図１】図１は、本発明を具体化した床ポスターの概略図である。
【図２】図２は、本発明を具体化するプロセスのフロー図である。
【図１】
2005513552.tif 000003
【図２】
2005513552.tif 000004
【国際調査報告】
2005513552.tif 000005
2005513552.tif 000006
2005513552.tif 000007